【事件の表示】
　特願２０１３−２５０２０３「移動端末装置、無線通信方法及び無線通信システム」拒絶査定不服審判事件〔平成２６年　５月２２日出願公開、特開２０１４−　９６８０５〕について、次のとおり審決する。
【結　論】
　本件審判の請求は、成り立たない。
【理　由】
第１　手続の経緯
　本願は，平成２２年６月２１日に出願した特願２０１０−１４１０２０号の一部を，平成２５年１２月３日に新たな特許出願としたものであって，平成２７年１月６日付けで拒絶査定がなされ，これに対し，同年４月１３日に拒絶査定に対する審判請求がなされるとともに同日付けで手続補正がなされたものである。
第２　補正却下の決定
［結論］
　平成２７年４月１３日付けの手続補正を却下する。
［理由］
１　本願発明と補正後の発明
　平成２７年４月１３日付けの手続補正（以下，「本件補正」という。）は，平成２６年６月１１日付け手続補正書により補正された特許請求の範囲の請求項６に記載された
「【請求項６】
　移動端末装置と無線基地局装置との無線通信方法であって，
　下り共有データチャネル信号に対するＡＣＫ／ＮＡＣＫ情報を複数の基本周波数ブロック間でジョイント符号化して複数ビットのＡＣＫ／ＮＡＣＫ情報を生成する工程と，
　前記複数ビットのＡＣＫ／ＮＡＣＫ情報をチャネル符号化する工程と，
　チャネル符号化後の信号に対して，ＤＦＴ（Discrete　Fourier　Transform）と，ブロック拡散符号を用いたブロック拡散と，を行う工程と，を具備し，
　前記複数ビットのＡＣＫ／ＮＡＣＫ情報が，チャネル品質測定用のＳＲＳ（Sounding　Reference　Signal）を送信するためのシンボルが時間多重されているサブフレームで送信される場合に，サブフレーム内のＡＣＫ／ＮＡＣＫ情報用のシンボルの１つを削除した短縮型フォーマットを適用し，前記複数ビットのＡＣＫ／ＮＡＣＫ情報が，前記ＳＲＳを送信するためのシンボルを含まないサブフレームで送信される場合には，前記シンボル数が削除されない通常フォーマットを適用することを特徴とする無線通信方法。」
という発明（以下，「本願発明」という。）を，
「【請求項６】
　複数の基本周波数ブロックが割当てられた移動端末装置と無線基地局装置との無線通信方法であって，
　下り共有データチャネル信号に対するＡＣＫ／ＮＡＣＫ情報を複数の基本周波数ブロック間でジョイント符号化して複数ビットのＡＣＫ／ＮＡＣＫ情報を生成する工程と，
　前記複数ビットのＡＣＫ／ＮＡＣＫ情報をチャネル符号化する工程と，
　チャネル符号化後の信号に対して，ＤＦＴ（Discrete　Fourier　Transform）と，移動端末装置毎に割当てられたブロック拡散符号を用いたブロック拡散と，を行う工程と，を具備し，
　前記複数ビットのＡＣＫ／ＮＡＣＫ情報が，チャネル品質測定用のＳＲＳ（Sounding　Reference　Signal）を送信するためのシンボルが時間多重されているサブフレームで送信される場合に，サブフレーム内のＡＣＫ／ＮＡＣＫ情報用のシンボルの１つを削除すると共に系列長を１減らしたブロック拡散符号を利用する短縮型フォーマットを適用し，前記複数ビットのＡＣＫ／ＮＡＣＫ情報が，前記ＳＲＳを送信するためのシンボルを含まないサブフレームで送信される場合には，前記シンボル数及びブロック拡散符号の系列長が削除されない通常フォーマットを適用することを特徴とする無線通信方法。」
という発明（以下，「補正後の発明」という。）に変更することを含むものである。
２　補正の適否
（１）新規事項の有無，シフト補正の有無，補正の目的要件
　上記補正は，願書に最初に添付した明細書，特許請求の範囲又は図面に記載した事項の範囲内において，
ア　本願発明の「移動端末装置と無線基地局装置との無線通信方法」を，「複数の基本周波数ブロックが割当てられた移動端末装置と無線基地局装置との無線通信方法」に改め，
イ　本願発明の「ブロック拡散符号を用いたブロック拡散」を，「移動端末装置毎に割当てられたブロック拡散符号を用いたブロック拡散」に改め，
ウ　本願発明の「サブフレーム内のＡＣＫ／ＮＡＣＫ情報用のシンボルの１つを削除した短縮型フォーマット」を，「サブフレーム内のＡＣＫ／ＮＡＣＫ情報用のシンボルの１つを削除すると共に系列長を１減らしたブロック拡散符号を利用する短縮型フォーマット」に改め，
エ　本願発明の「前記シンボル数が削除されない通常フォーマット」を，「前記シンボル数及びブロック拡散符号の系列長が削除されない通常フォーマット」に改めるものである。
　そして，上記アの補正は，「移動端末装置」に関して「複数の基本周波数ブロックが割当てられた」との限定を付して，特許請求の範囲を減縮するものである。
　上記イの補正は，「ブロック拡散符号」に関して「移動端末装置毎に割当てられた」との限定を付して，特許請求の範囲を減縮するものである。
　上記ウの補正は，「サブフレーム内のＡＣＫ／ＮＡＣＫ情報用のシンボルの１つを削除した短縮型フォーマット」に関して「系列長を１減らしたブロック拡散符号を利用する」との限定を付して，特許請求の範囲を減縮するものである。
　上記エの補正は，「前記シンボル数が削除されない通常フォーマット」に関して「ブロック拡散符号の系列長が削除されない」との限定を付して，特許請求の範囲を減縮するものである。
　また，請求項１及び８についての補正についても同様である。
　したがって，本件補正は，特許法第１７条の２第３項及び第４項の規定に適合することは明らかであり，また，同法第１７条の２第５項第２号に掲げる特許請求の範囲の減縮を目的とするものである。
（２）独立特許要件
　請求項６における補正は，特許請求の範囲の減縮を目的とするものであるから，補正後の発明が特許出願の際独立して特許を受けることができるものであるのか否かについて，以下検討する。
ア　補正後の発明
　上記「１　本願発明と補正後の発明」にて「補正後の発明」とした，以下のとおりのものと認める。
「【請求項６】
　複数の基本周波数ブロックが割当てられた移動端末装置と無線基地局装置との無線通信方法であって，
　下り共有データチャネル信号に対するＡＣＫ／ＮＡＣＫ情報を複数の基本周波数ブロック間でジョイント符号化して複数ビットのＡＣＫ／ＮＡＣＫ情報を生成する工程と，
　前記複数ビットのＡＣＫ／ＮＡＣＫ情報をチャネル符号化する工程と，
　チャネル符号化後の信号に対して，ＤＦＴ（Discrete　Fourier　Transform）と，移動端末装置毎に割当てられたブロック拡散符号を用いたブロック拡散と，を行う工程と，を具備し，
　前記複数ビットのＡＣＫ／ＮＡＣＫ情報が，チャネル品質測定用のＳＲＳ（Sounding　Reference　Signal）を送信するためのシンボルが時間多重されているサブフレームで送信される場合に，サブフレーム内のＡＣＫ／ＮＡＣＫ情報用のシンボルの１つを削除すると共に系列長を１減らしたブロック拡散符号を利用する短縮型フォーマットを適用し，前記複数ビットのＡＣＫ／ＮＡＣＫ情報が，前記ＳＲＳを送信するためのシンボルを含まないサブフレームで送信される場合には，前記シンボル数及びブロック拡散符号の系列長が削除されない通常フォーマットを適用することを特徴とする無線通信方法。」
イ　引用発明及び周知技術等
［引用発明］
　原査定の拒絶の理由に引用された「NTT DOCOMO，Uplink ACK/NACK Transmission Schemes for Carrier Aggregation（［当審仮訳］：キャリアアグリゲーションのための上りリンクＡＣＫ／ＮＡＣＫ送信スキーム）[online]，3GPP TSG RAN WG1 Meeting #61 R1-103248，インターネット＜URL:http://www.3gpp.org/ftp/tsg_ran/WG1_RL1/TSGR1_61/Docs/R1-103248.zip＞，２０１０年５月１０日」（以下，「引用例」という。）には，図面とともに以下の事項が記載されている。
（ア）「1.Introduction
At the RAN1#60 meeting, it was agreed that a single UE-specific UL component carrier (CC) would be configured semi-statically to carry the PUCCH ACK/NACK (A/N), scheduling request (SR), and periodic channel state information (CSI) from a UE. Furthermore, according to the agreements at the RAN1#58bis meeting, the following two A/N transmission schemes should be supported in Rel. 10.
・Full A/N transmission: One A/N for each DL CC transport block should be supported.
・Limited A/N transmission: Limited A/N transmission for the DL CC transport blocks should be supported for power limitation.
In order to support full A/N transmission, a PUCCH structure that can convey at least 10 bits is required. This was confirmed at the previous RAN1#60bis meeting. Based on the agreements, this contribution discusses the A/N transmission schemes for the “Full” and “Limited” A/N transmissions that are to be supported in Rel. 10.」
（［当審仮訳］：
１．序論
　ＲＡＮ１＃６０会議において，ＵＥからのＰＵＣＣＨ　ＡＣＫ／ＮＡＣＫ（Ａ／Ｎ），スケジューリング要求（ＳＲ），及び周期的なチャンネル状態情報（ＣＳＩ）を運ぶために，単一のＵＥ固有のＵＬコンポーネントキャリア（ＣＣ）が準静的に構成されることが合意された。さらに，ＲＡＮ１＃５８ｂｉｓ会議の合意によれば，次の２つのＡ／Ｎ送信スキームが，Ｒｅｌ．１０においてサポートされるべきである。
・全てのＡ／Ｎ送信：それぞれのＤＬ　ＣＣ転送ブロックのための１つのＡ／Ｎがサポートされるべきである。
・制限されたＡ／Ｎ送信：ＤＬ　ＣＣ転送ブロックのための制限されたＡ／Ｎ送信が電力制限のためにサポートされるべきである。
　全てのＡ／Ｎ送信をサポートするために，少なくとも１０ビットを運ぶことができるＰＵＣＣＨ構造が必要とされる。これは前回のＲＡＮ１＃６０ｂｉｓ会議で承認されている。この合意に基づいて，この寄書は，Ｒｅｌ．１０においてサポートされる「全ての」及び「制限された」Ａ／Ｎ送信のためのＡ／Ｎ送信スキームを論じる。）
（イ）「2.Full A/N Transmission Scheme
In order to support full A/N transmission, a PUCCH structure that can support the payload size of at least 10 bits is required. This was confirmed at the previous RAN1#60bis meeting. The one remaining issue regarding the maximum payload size is the need for explicit DTX signaling. The benefit of explicit DTX signaling is basically to achieve accurate redundancy version (RV) control for the DL retransmissions when misdetection of the PDCCH for the DL assignments occurs. However, 1-2 additional bits are required in the PUCCH payload according to the number of DL CCs [1]. Therefore, as discussed during the previous RAN1 meeting, more careful study may be needed on this issue considering both the DL and UL performance. Currently, we are investigating the following possibilities.
・Alt. 1: Support explicit DTX signaling (max. 12 bits [1])
・Alt. 2: Support explicit DTX signaling only for the DL CC with one codeword (CW) transmission (max. 10 bits)
・Alt. 3: No explicit DTX signaling (max. 10 bits)
In Alt. 2, three statuses for one CW (DTX, NACK, and ACK) and four statuses for two CWs (NACK/NACK, ACK/NACK, NACK/ACK, and ACK/ACK) are switched while retaining the same number of bits. Among the alternatives, we prefer Alt. 1 if the maximum of 12 bits is allowed. Otherwise, Alt. 2 has a slightly higher preference.
To support the payload size of the maximum 10 (or 12) bits efficiently, the transmission scheme based on the joint coding of multiple A/N bits is preferred as many companies suggested [2]. Whether PUCCH format 2 is reused or a new format such as multi-sequence modulation [3] and block-spreading based format [4],[5] is introduced is FFS.
Proposal 1: Support the PUCCH format for full A/N transmission based on joint coding. Consider explicit DTX signaling at least for the single CW case.」
（［当審仮訳］：
２．全てのＡ／Ｎ送信
　全てのＡ／Ｎ送信をサポートするために，少なくとも１０ビットのペイロードサイズをサポートすることができるＰＵＣＣＨ構造が必要とされる。これは前回のＲＡＮ１＃６０ｂｉｓ会議で承認されている。最大ペイロードサイズに関する１つの残された問題は，明示的なＤＴＸシグナリングの必要性である。明示的なＤＴＸシグナリングの利益は，基本的に，ＤＬ割当てのためのＰＤＣＣＨの誤検出が発生したときのＤＬ再送のための正確な冗長性バージョン（ＲＶ）制御を達成することである。しかしながら，ＤＬ　ＣＣ（複数）の数に応じて，ＰＵＣＣＨペイロード内に１−２の追加ビットが必要とされる［１］。ゆえに，前回のＲＡＮ１会議の間に議論されたように，この問題について，ＤＬ及びＵＬパフォーマンスの両方を考慮して，より慎重な研究が必要とされるかも知れない。現在，我々は次の可能性を調査している。
・代案１：明示的なＤＴＸシグナリングをサポートする（最大１２ビット［１］）
・代案２：１つのコードワード（ＣＷ）送信のＤＬ　ＣＣについてのみ明示的なＤＴＸシグナリングをサポートする（最大１０ビット）
・代案３：明示的なＤＴＸシグナリングなし（最大１０ビット）
　代案２において，１つのＣＷのための３つの状態（ＤＴＸ，ＮＡＣＫ，及びＡＣＫ）並びに２つのＣＷのための４つの状態（ＮＡＣＫ／ＮＡＣＫ，ＡＣＫ／ＮＡＣＫ，ＮＡＣＫ／ＡＣＫ，及びＡＣＫ／ＡＣＫ）が，同じ数のビットを使用し続ける間，切り替えられる。もし最大１２ビットが許可されるならば，我々は，これらの代案の中で，代案１を好む。他方，代案２は，より少し高い好ましさである。
　多くの企業が提案するように，最大１０（又は１２）ビットのペイロードサイズを効果的にサポートするために，複数のＡ／Ｎビットのジョイント符号化に基づく送信スキームが好まれている［２］。ＰＵＣＣＨフォーマット２が再利用されるか，又はマルチシーケンス変調のような新しいフォーマット及びブロック拡散に基づくフォーマット［４］，［５］が導入されるかは，今後の検討課題である。
提案１：ジョイント符号化に基づく全てのＡ／Ｎ送信のためののためのＰＵＣＣＨフォーマットをサポートする。少なくとも単一のＣＷのケースのために，明示的なＤＴＸシグナリングを考慮する。）
　上記（ア），（イ）の記載及び当業者の技術常識を考慮すると，
ａ　上記（ア）の「ＵＥからのＰＵＣＣＨ　ＡＣＫ／ＮＡＣＫ（Ａ／Ｎ）・・・を運ぶために」なる記載から，引用例には，ＵＥから無線基地局への無線通信に関する方法，すなわち「ＵＥと無線基地局装置との無線通信方法」に関して記載されていることは明らかである。また，上記（ア）の「それぞれのＤＬ　ＣＣ転送ブロックのための１つのＡ／Ｎ」なる記載，及び上記（イ）の「ＤＬ　ＣＣ（複数）の数に応じて，ＰＵＣＣＨペイロード内に１−２の追加ビットが必要とされる」なる記載から，ＵＥには，複数のＤＬ　ＣＣが割当てられているといえる。
　したがって，引用例には，「複数のＤＬ　ＣＣが割当てられたＵＥと無線基地局装置との無線通信方法」が記載されていると認められる。
ｂ　上記（ア）には，ＵＥがＰＵＣＣＨ　ＡＣＫ／ＮＡＣＫを送信することが記載されており，ここで，ＵＥがＰＵＣＣＨ上で送信するＡＣＫ／ＮＡＣＫが，下り共有データチャネル信号に対するものであることは，当業者における技術常識である。
　また，上記（イ）には，複数のＡＣＫ／ＮＡＣＫビットをジョイント符号化することが記載されており，上記（ア）の「それぞれのＤＬ　ＣＣ転送ブロックのための１つのＡ／Ｎ」なる記載から，前記複数のＡＣＫ／ＮＡＣＫビットのそれぞれは，各ＤＬ　ＣＣ転送ブロックのためのものであることは明らかである。さらに，上記（イ）によれば，前記ジョイント符号化は最大１０（又は１２）ビットのペイロードサイズを効果的にサポートするために行われるものであるから，ジョイント符号化により生成されるＡＣＫ／ＮＡＣＫビットも複数ビットであることは明らかである。
　したがって，引用例には，「下り共有データチャネル信号に対するＡＣＫ／ＮＡＣＫを複数のＤＬ　ＣＣ間でジョイント符号化して複数ビットのＡＣＫ／ＮＡＣＫを生成する工程」が記載されていると認められる。
ｃ　上記（イ）の「ブロック拡散に基づくフォーマット［４］，［５］が導入されるかは，今後の検討課題である。」なる記載は，ジョイント符号化されたＡＣＫ／ＮＡＣＫビットに対してブロック拡散を行うことを示唆するものである。そして，ＰＵＣＣＨで送信される制御情報に対してブロック拡散を行うことが当業者における技術常識であることも鑑みれば，当該記載は，ジョイント符号化されたＡＣＫ／ＮＡＣＫビットに対してブロック拡散を行うことを想定しているといえる。ここで，上記ｂで述べたとおり，複数のＡＣＫ／ＮＡＣＫビットをジョイント符号化して生成されるＡＣＫ／ＮＡＣＫビットも複数ビットであることは明らかである。また，ブロック拡散をブロック拡散符号を用いて行うことも，当業者における技術常識である。
　したがって，引用例には，「複数ビットのＡＣＫ／ＮＡＣＫビットに対して，ブロック拡散符号を用いたブロック拡散を行う工程」が記載されていると認められる。
　以上を総合すると，引用例には以下の発明（以下，「引用発明」という。）が記載されていると認める。
「　複数のＤＬ　ＣＣが割当てられたＵＥと無線基地局装置との無線通信方法であって，
　下り共有データチャネル信号に対するＡＣＫ／ＮＡＣＫを複数のＤＬ　ＣＣ間でジョイント符号化して複数ビットのＡＣＫ／ＮＡＣＫを生成する工程と，
　複数ビットのＡＣＫ／ＮＡＣＫビットに対して，ブロック拡散符号を用いたブロック拡散を行う工程と，を具備する無線通信方法。」
［周知技術等］
　原査定において参考文献として引用された「Ericsson, ST-Ericsson，PUCCH design for carrier aggregation（［当審仮訳］：キャリアアグリゲーションのためのＰＵＣＣＨデザイン）[online]，3GPP TSG-RAN WG1 #60bis R1-101730，インターネット＜URL:http://www.3gpp.org/ftp/tsg_ran/WG1_RL1/TSGR1_60b/Docs/R1-101730.zip＞，２０１０年４月６日」（以下，「周知例１」という。）には，図面とともに以下の事項が記載されている。（［当審注］：以下，下線は強調のため当審において付した。）
（ウ）「2.4.CA PUCCH Transmission Scheme
The Carrier Aggregation PUCCH is based on DFTS-OFDM. Figure 1 shows a block diagram of the proposed transmitter. The multiple ACK/NACK bits are encoded by the (32, O) RM code with circular buffer rate matching [2] into 48 coded bits, where O=n with spatial bundling and O=2n without spatial bundling. The number n denotes the number of configured CCs. The coded bits are scrambled with cell-specific and possible DFTS-OFDM symbol dependent sequences. 24 bits are transmitted within the first slot and the other 24 bits are transmitted within the second slot. The 24 bits are converted into 12 QPSK symbols, DFT precoded, spread across five DFTS-OFDM symbols and transmitted within one resource blocks (bandwidth) and five DFTS-OFDM symbols (time). The spreading sequence oc is UE specific and enables multiplexing of up to five users within the same resource blocks.」
（［当審仮訳］：
２．４　ＣＡ　ＰＵＣＣＨ送信スキーム
キャリアアグリゲーションＰＵＣＣＨはＤＦＴＳ−ＯＦＤＭに基づく。図１は提案された送信器を示す。
複数のＡＣＫ／ＮＡＣＫビットは，環状バッファレートマッチングを用いた（３２，Ｏ）ＲＭ符号により４８の符号化されたビットに符号化され，
２４ビットは１２ＱＰＳＫシンボルに変換され，ＤＦＴプリコードされ，５つのＤＦＴＳ−ＯＦＤＭシンボルに拡散されて１つのリソースブロック（帯域）及び５つのＤＦＴＳ−ＯＦＤＭ（時間）で送信される。拡散シーケンスｏｃはＵＥ固有であり，５までのユーザを同じリソースブロックに多重することを可能にする。
（エ）「
」
　本件の原出願日前に公開された特開２００９−８９１８７号公報（以下，「周知例２」という。）には，図面とともに以下の事項が記載されている。
（オ）「【００２１】
　
チャネル符号化部３１２は，ＣＱＩとＡＣＫ／ＮＡＣＫ情報のいずれかをバッファ３１０から入力し，入力した情報に対してチャネル符号化を行う。
【００２２】
　データ変調部３１４は，チャネル符号化部３１２から入力した信号に対して所定の変調処理を行って，基地局へ返信すべき情報（ＣＱＩのみか，ＡＣＫ／ＮＡＣＫ情報のみのいずれか）を含む系列をブロック毎に生成する。また，データ変調部３１４は，生成した系列をＳＣ−ＦＤＭＡ信号生成部３１６に対して出力する。
【００２３】
　
ＳＣ−ＦＤＭＡ信号生成部３１６は，データ変調部３１４から入力した系列に対して，離散フーリエ変換（ＤＦＴ），上述の復調・復号部３０４から入力した上りリソース割り当て情報に基づく周波数領域でのサブキャリアマッピング，高速逆フーリエ変換（ＩＦＦＴ），およびサイクリックプレフィックスの付与等を行って，上りリンクで送信されるＳＣ−ＦＤＭＡ信号を生成する。
　本件の原出願日前に公開された特表２００９−５２２９１１号公報（以下，「周知例３」という。）には，図面とともに以下の事項が記載されている。
（カ）「【００５１】
　図１０に示す送信器の構成を説明すると，
ダウンリンクデータのＡＣＫ／ＮＡＣＫ１００１は，チャネル符号化器１００６で反復符号化のような符号化を経た後に，逆多重化器（ＤＥＭＵＸ）１０１６に入力される。
【００５２】
　アップリンクデータ１００２は，アップリンクデータ１００２の送信形式を示す制御情報１００３がチャネル符号化器１０１４により符号化された後に，多重化器１０１５に入力される間に，チャネル符号化器１０１３により符号化された後に，多重化器１０１５に入力される。また，符号化されたＡＣＫ／ＮＡＣＫは，出力経路１００９を介して多重化器１０１５に入力されることができる。アップリンクデータ１００２のために割り当てられたリソース（データリソース）のためのパイロット信号１０１１及び１０１２の中の１つは，スイッチ１０１２を介して多重化器１０１５に入力される。スイッチ１０１２による選択は，ＡＣＫ／ＮＡＣＫが存在するか否かを示す信号１００５に基づく。特に，スイッチ１０１２は，ＡＣＫ／ＮＡＣＫが上記データリソースに送信されない場合に，パイロットパターン＃１のパイロット信号１０１１を選択し，ＡＣＫ／ＮＡＣＫが上記データリソースに送信される場合に，パイロットパターン＃２のパイロット信号１０１２を選択する。
【００５３】
　
多重化器１０１５により多重化された情報は，データリソースマッパー１０２１によりデータリソースにマッピングされた後に送信される。ここで，データリソースマッパー１０２１は，図２を参照して説明したようなＦＦＴ（又はＤＦＴ）ブロック，サブキャリアマッパー，及びＩＦＦＴブロックを含む。
　（ウ）〜（カ）の記載及び図面並びに当業者の技術常識を考慮すると，「ＡＣＫ／ＮＡＣＫ情報をチャネル符号化し，チャネル符号化後の信号に対して，ＤＦＴを行う」ことは周知であると認める（以下，「周知技術１」という。）。
　本件の原出願日前に公開された特開２００９−１１１７８０号公報（以下，「周知例４」という。）には，図面とともに以下の事項が記載されている。
（キ）「【００３４】
　(a)に示される例の場合，単位ブロックを構成する１２個のシンボルエレメントが，ユーザＡのACK/NACKを表すビット系列を表現する。ACK/NACKを表すビット系列の長さは，DA={dA1,dA2,…,dA12}のように図示の例では１２であるが，適切な如何なるなビット系列長で表現されてもよい。DAで示されている単位ブロックは同一内容を表す。図示の４つの単位ブロックには(CA1, CA2, CA3, CA4)の組一式で表現される直交符号系列が乗算される。
【００３５】
　(b)に示される例の場合，
単位ブロックを構成する１２個のシンボルエレメントが，ユーザＢのACK/NACKを表すビット系列を表現する。DBで示されている単位ブロックは同一内容を表す。図示の４つの単位ブロックには(CB1, CB2, CB3, CB4)の組一式で表現される直交符号系列が乗算される。従って，ユーザＡの信号(a)とユーザＢの信号(b)は同じ周波数で同時に伝送されたとしても直交性を保ったまま符号多重できる。
【００３６】
　(c)に示される例の場合，単位ブロックを構成する１２個のシンボルエレメントが，ユーザＡのCQIを表すビット系列を表現する。CQIを表すビット系列の長さは，DA={dA1,dA2,…,dA12}のように図示の例では１２であるが，適切な如何なるビット系列長で表現されてもよい。一般に，CQIは下りリファレンスシンボルの受信品質SINRをいくつかのレベルに量子化することで表現される。受信品質SINRを表現するビット数や量子化レベル数には適切な如何なる数が使用されてもよい。ユーザ装置が基地局装置に報告するCQIは，ユーザ装置で測定されたCQIそのものでもよいし，測定されたCQIのいくつかの上位ビットだけでもよい。DAで示されている単位ブロックは同一内容を表す。図示の４つの単位ブロックには(CA1, CA2, CA3, CA4)の組一式で表現される直交符号系列が乗算される。
【００３７】
　(d)に示される例の場合，単位ブロックを構成する１２個のシンボルエレメントが，ユーザＢのCQIを表すビット系列を表現する。DＢで示されている単位ブロックは同一内容を表す。図示の４つの単位ブロックには(CB1, CB2, CB3, CB4)の組一式で表現される直交符号系列が乗算される。従って，ユーザＡの信号(a)とユーザＢの信号(b)は同じ周波数で同時に伝送されたとしても直交性を保ったまま符号多重できる。
【００３８】
　＜CAZAC系列及びブロック拡散符号系列による直交多重法＞
　図３に関して説明されたカザック符号系列を用いた直交多重法と，図４に関して説明されたブロック拡散符号系列による直交多重法とを組み合わせることも可能である。
【００３９】
　図５はそのような組み合わせの例を示す。図中の記号は図３及び図４で使用されたものと同じである。
制御情報（図５ではACK/NACK）は，単位ブロック全体に乗算される因子の１つ以上で表現される。このようにすると，カザック符号系列による直交性に加えて，ブロック拡散符号による直交性をも発揮でき，ユーザ毎の信号をよりいっそう簡易且つ高品質に分離できるようになる。
　本件の原出願日前に公開された国際公開第２００９／０２２５６６号（以下，「周知例５」という。）には，図面とともに以下の事項が記載されている。
（ク）「[0010]　
ＡＣＫ／ＮＡＣＫは送信情報量が小さい(基本的には１ビット)ため，更に時間軸上のブロック拡散を施すことが可能であり，これによりユーザ多重数を増加する
ＡＣＫ／ＮＡＣＫは符号長４のユーザ固有の直交符号でブロック拡散される。
　（ウ），（キ），（ク）の記載及び図面並びに当業者の技術常識を考慮すると，「ＡＣＫ／ＮＡＣＫ情報に対し，移動端末装置毎に割当てられたブロック拡散符号を用いたブロック拡散を行う」ことは周知であると認める（以下，「周知技術２」という。）。
　原査定の拒絶の理由に引用された「LG Electronics Inc.，Investigation on problems in case of PUCCH and S-RS simultaneous transmission（［当審仮訳］：ＰＵＣＣＨとＳ−ＲＳの同時送信のケースにおける問題の研究）[online]，3GPP TSG RAN WG1 #49bis R1-072887，インターネット＜URL:http://www.3gpp.org/ftp/tsg_ran/WG1_RL1/TSGR1_49b/Docs/R1-072887.zip＞，２００７年６月２５日」（以下，「周知例６」という。）には，図面とともに以下の事項が記載されている。
（ケ）「3.2　Operating with two types of PUCCH subframe structures (Option 2)
　From the perspective of resource utilization, this can be seen as most viable option. This option requires two type of PUCCH subframe structure; Type 1 in figure 3 is a normal PUCCH subframe structure, which is designed to be used for ACK/NACK or CQI when S-RS transmission is not necessarily taken into account. Type 2 in figure 4 is PUCCH type, which is designed specially to take the existence of S-RS into account so that SF of 3 is utilized in the first slot and SF of 4 in the second half slot.
　Depending on whether CQI is considered or ACK/NACK is considered in this option, the implication will be different and hence one may come up with different application of two types of PUCCH formats. 
　In order for type 1 format to be used for ACK/NACK transmission during certain subframe, there should not be any single UE who are to transmit S-RS It is because time domain orthogonality cannot be maintained between two formats in case of ACK/NACK transmission. In other words, two types of PUCCH cannot co-exist in the same time. Therefore, the application of type 1 format for ACK/NACK transmission would face long odds since it can be used only when there is no UE at all who transmits S-RS. As a result, ACK/NACK signals would be transmitted with Type 2 subframe structure most of the time.
（中略）
　Depending on which assumption one can make regarding UEs’ knowledge on S-RS transmission timing, additional signaling may or may not be necessary which indicate PUCCH format to be used. If UEs are not necessarily assumed to have information about the S-RS transmission timing of other UEs in the cell except for their own S-RS transmission timing, additional downlink signaling is required to indicate UEs which PUCCH type to use at certain time instance. This is the case when eNB doesn’t distribute/broadcast any system information about S-RS transmission timing to all the UEs in the cell. However, it might not be easy to find out appropriate place over which this indication signal can be conveyed. Different from the former case, one may assume that all the UEs in the cell have the knowledge on S-RS transmission timing in uplink, not only for themselves but also for the other UEs in the cell via downlink information such as broadcasting information. In this case, no downlink signaling is required to indicate the PUCCH format to be used since UE can autonomously select PUCCH format to utilize during certain subframe based on the knowledge of S-RS transmission timing in uplink.」
（［当審仮訳］：
３．２　２つのタイプのＰＵＣＣＨサブフレーム構造を扱う（オプション２）
　リソースの活用の観点から，これは最も実行可能なオプションとみられる。
このオプションは，２つのタイプのＰＵＣＣＨサブフレーム構造を必要とする；図３のタイプ１は通常のＰＵＣＣＨサブフレーム構造であり，これは，Ｓ−ＲＳ送信がが考慮される必要がないときに，ＡＣＫ／ＮＡＣＫ又はＣＱＩのために利用されるべくデザインされたものである。図４のタイプ２はＰＵＣＣＨタイプであり，これは，Ｓ−ＲＳの存在を考慮するために，特別にデザインされたものであり，ゆえに，３のＳＦ（拡散係数）が最初のスロットに利用され，４のＳＦが２番目の半分のスロットに利用される。
　このオプションにおいてＣＱＩ又はＡＣＫ／ＮＡＣＫが考慮されるか否かに依存して，関係は異なり，ゆえに１つは，２つのタイプのＰＵＣＣＨフォーマットの異なる適用に直面するかも知れない。
　あるサブフレーム中におけるＡＣＫ／ＮＡＣＫ送信にタイプ１フォーマットが使用されるため，Ｓ−ＲＳを送信する単一の何らのＵＥも存在すべきでない。これは，ＡＣＫ／ＮＡＣＫ送信のケースにおいて，２つのフォーマットの間で，時間ドメインの直交性が維持できないためである。言い換えれば，２つのタイプのＰＵＣＣＨフォーマットは同じタイミングで共存することができない。ゆえに，ＡＣＫ／ＮＡＣＫ送信のためのタイプ１フォーマットの適用は，Ｓ−ＲＳを送信するＵＥがまったく存在しないときにのみそれが使用されるので，まれに起きるだろう。結果として，ＡＣＫ／ＮＡＣＫ信号は，多くの場合，タイプ２サブフレーム構造で送信されるであろう。
（中略）
　
Ｓ−ＲＳ送信タイミングに関するＵＥの知識に関連するどの仮定を用いるかに依存して，使用すべきＰＵＣＣＨフォーマットを表示する追加のシグナリングが必要かも知れないし，必要ではないかも知れない。
（コ）「
」
（サ）「
」
　本件の原出願日前に公開された国際公開第２００８／１５７６３６号（以下，「周知例７」という。）には，図面とともに以下の事項が記載されている。（当審注：以下の［当審仮訳］は，周知例７のパテントファミリーである特表２０１０−５３０７２４号公報の記載に基づくものである。）
（シ）「[0046] Fig. 4A depicts an example sub-frame 400 detailing acknowledgement (ACK) channel multiplexing in the absence of a sounding RS. Sub-frame 400 represents 1.0 ms of time 418 (with a frequency 430 dimension depicted as the y-axis) that can be divided into two 0.5 ms slots similar in channel structure to the slot 200 diagramed in Fig. 2A, with short CP employed and 7 symbols per slot included in a resource block. However, unlike slot 200, in this case, no sounding RS is present in either slot of sub-frame 400. Illustrated in the upper portion of the first 0.5 ms slot are four ACK symbols 402 and three reference signal (RS) symbols 404. RS symbols 404 are a pilot structure generally employed for demodulation of the ACK channel or another associated channel. Typically, ACK 402 and RS 404 symbols are transmitted in the PUCCH regions. Thus, the relationship to the structures depicted in Figs. 2A and 2B can be readily appreciated (e.g., PUCCH 208, 210, 228, 230).
[0047] Generally, resources for PUSCH 422 are allocated on a sub-frame basis and the transmission frequency 420 can be hopped from sub-frame to sub-frame (e.g., from sub-frame 400 to another sub-frame). In contrast, the PUCCH, which can carry ACK and RS information (as well as channel quality indication (CQI), not acknowledgment (NACK), hybrid automatic repeat request (HARQ), uplink scheduling requests ...) can be hopped at slot boundaries to, e.g., provide added reliability. Thus, the boundary between the first 0.5 ms slot and the second 0.5 ms slot can serve as a transmission frequency boundary for hopping in the PUCCH. Accordingly, a particular group of users associated with data from ACK 402 and RS 404 transmitted at an upper portion of the frequency 420 spectrum in the first slot can be hopped to a lower frequency 420 in the second slot as depicted by ACK 406 and RS 408. Likewise, a different group of users associated with ACK 414 and RS 416 in the first slot can be hopped to an upper portion of the spectrum in the second slot to ACK 410 and RS 412. The associated relationships between ACK and RS symbols are depicted with white and black backgrounds, respectively.
[0048] In accordance therewith, the nominal PUCCH structure for short CP allows for 18 ACKs per resource block. These 18 ACKs can be allocated 6 frequency domain code division multiplexing (CDM) cyclic shifts for each of 3 time domain CDM orthogonal covers. For long CP, the nominal PUCCH structure allows for 8 ACKs per resource block to account for 4 frequency domain CDM cyclic shifts for each of 2 time domain CDM orthogonal covers.
[0049] Turning now to Fig. 4B, example sub-frame 430 detailing ACK channel multiplexing when a sounding RS is present and an ACK symbol is replaced is depicted. As with sub-frame 400 of Fig. 4A, frequency 452 is represented in the y-axis dimension, and sub-frame 430 represents 1.0 ms of time 450 that can be divided into two 0.5 ms slots, each with similar channel structure as that described in Fig. 2 A, with 7 symbols per slot as defined for short CP. However, in this case, the second slot does not include a sounding RS like slot 200 depicts. SRS 432 is depicted in the first position in the first 0.5 ms slot, however, it should be reiterated that SRS 432 could exist at other locations in the slot as well as in a different slot of sub-frame 430. Moreover, SRS 432 could exist in a long CP structure as well although for the sake of brevity and to facilitate rapid understanding of the concepts detailed herein, only short CP is employed for illustration.
[0050] Unlike the example nominal sub-frame 400 of Fig. 4A, the first slot in sub-frame 430 includes three ACK symbols 434, 446 rather than four ACK symbols 402, 414, yet the first slot still includes the same number of RS symbols 436, 448 with three. The reason for fewer ACK symbols is due to the existence of SRS 432, which accounts for one of the 7 symbols in a short CP slot. In this case, SRS 432 has replaced one of the four ACK symbols 402, 414 present in sub-frame 400 so that there are only three ACK symbols 434, 446 in the first slot of sub-frame 430. In the second 0.5 ms slot of sub-frame 430, no sounding RS is present so the channel structure has not changed. Accordingly, there are four ACK symbols 438, 442 and three RS symbols 440, 444 just as was the case in the second slot of example sub-frame 400 depicted in Fig. 4A.」
（［当審仮訳］：
[0046]　
図４Ａは，サウンディングＲＳなしの確認応答（ＡＣＫ）チャネルの多重化を詳説するサブフレーム４００の一例を示している。
しかしながら，スロット２００と異なり，この場合，サブフレーム４００のどちらのスロットにもサウンディングＲＳが存在していない。第１の０．５ｍｓスロットの上方部分には，４つのＡＣＫシンボル４０２および３つの基準信号（ＲＳ：reference signal）シンボル４０４が図示されている。ＲＳシンボル４０４は，一般的にＡＣＫチャネルまたは別の関連するチャネルの復調のために用いられるパイロット構造である。
[0047]　一般的に，ＰＵＳＣＨ４２２のための資源は，サブフレームごとに割り当てられ，送信周波数４２０は，サブフレームからサブフレームへホップされ得る（例えば，サブフレーム４００から別のサブフレームへ）。対照的に，ＡＣＫおよびＲＳ情報（およびチャネル品質情報（ＣＱＩ：channel quality indication），非確認応答（ＮＡＣＫ：not acknowledgment），ハイブリッドオートマチックリピート要求（ＨＡＲＱ：hybrid automatic repeat request），上りリンクスケジューリング要求）を伝え得るＰＵＣＣＨは，例えばそれ以上の信頼性を提供するために，スロットの境界においてホップされ得る。したがって，第１の０．５ｍｓスロットと第２の０．５ｍｓスロットとの間の境界は，ＰＵＣＣＨにおけるホッピングのための送信周波数境界になり得る。したがって，第１のスロットにおける周波数４２０の上方部分の範囲において送信されるＡＣＫ４０２およびＲＳ４０４からのデータに関するユーザの所定のグループは，ＡＣＫ４０６およびＲＳ４０８によって示されるような第２のスロットにおける下方の周波数４２０にホップされ得る。同様に，第１のスロットにおけるＡＣＫ４１４およびＲＳ４１６に関するユーザの異なるグループは，第２のスロットにおける上方部分の範囲のＡＣＫ４１０およびＲＳ４１２にホップされ得る。ＡＣＫおよびＲＳシンボルの間の関連する関係は，それぞれ白と黒の背景で示される。
[0048]　それに加え，短ＣＰの名目上のＰＵＣＣＨ構造は，資源ブロックごとに１８のＡＣＫを可能としている。これら１８のＡＣＫは，３つの時間領域ＣＤＭ直交カバーのそれぞれに対して６つの周波数領域符号分割多重化（ＣＤＭ：Code Division Multiplexing）サイクリックシフトに割り当てられ得る。長ＣＰの名目上のＰＵＣＣＨ構造は，資源ブロックごとに８つのＡＣＫを可能としており，２つの時間領域ＣＤＭ直交カバーのそれぞれに対して４つの周波数領域符号分割多重化（ＣＤＭ：Code Division Multiplexing）サイクリックシフトを占める。
[0049]　次に，図４Ｂに目を向けると，サウンディングＲＳが存在し，ＡＣＫシンボルが入れ替わった場合のＡＣＫチャネルの多重化を詳説するサブフレーム４３０の一例が示されている。図４Ａのサブフレーム４００のように，周波数４５２はｙ軸次元において示され，サブフレーム４３０は２つの０．５ｍｓスロットに分割され得る時間４５０の１．０ｍｓを示している。それぞれは，図２Ａにおいて記載されたようなチャネル構造と同様で，短ＣＰで定義されるようなスロットごとの７つのシンボルを含む。しかしながら，この場合，第２のスロットは，スロット２００が示すようなサウンディングＲＳを含まない。ＳＲＳ４３２は第１の０．５ｍｓスロットにおける第１の部分に示されているが，ＳＲＳ４３２がそのスロットの他の位置およびサブフレーム４３０の異なるスロットに存在し得ることは重ねて強調されるべきである。さらに，ここで詳説される概念の簡潔を目的としておよび早急な理解を容易にするために，短ＣＰのみが例として用いられるが，ＳＲＳ４３２は長ＣＰ構造にも存在し得る。
[0050]　
図４Ａの名目上のサブフレーム４００の例と異なり，サブフレーム４３０における第１のスロットは，４つのＡＣＫシンボル４０２，４１４の代わりに，３つのＡＣＫシンボル４３４，４４６を含むが，今までどおり，第１のスロットは，同じ数である３つのＲＳシンボル４３６，４４８を含む。ＡＣＫシンボルが少ない理由は，短ＣＰスロットにおける７つのシンボルの１つであるＳＲＳ４３２の存在のためである。この場合，ＳＲＳ４３２は，サブフレーム４００に存在する４つのＡＣＫシンボル４０２，４１４の１つと入れ替わっており，その結果，サブフレーム４３０の第１のスロットにおいて３つのＡＣＫシンボル４３４，４４６のみが存在する。
（ス）「[0059] Furthermore, wireless communication apparatus 302 can include spreading coder 314 that can determine a length and a type of a time domain orthogonal spreading code to apply to slots of a sub-frame as a function of SRS presence. Thus, spreading coder 314 can determine a different spreading code to apply to individual slots of a sub-frame based upon whether the slot includes an SRS or not. To provide concrete examples of various cases, Figs 4B and 4Ccan again be referenced.
[0060] Referring back to Fig. 4B, the first slot of the ACK channel includes three ACK symbols, three RS symbols, and the SRS that replaced one of the previously existing ACK symbols. The second slot has no SRS, four ACK symbols and three RS symbols. In one embodiment, spreading coder 314 can apply a 3-point discrete Fourier transform (DFT) spreading code in the slot including the SRS (e.g., the first 0.5 ms slot) for both ACK symbols and RS symbols, wherein the determined length and type are represented by 3-point (e.g., length) DFT (e.g., type). Since, the length and/or type of time domain orthogonal spreading code can differ for slots without an SRS, different spreading codes can apply to the second slot in sub-frame 430. The second slot in this example includes four ACK symbols and three RS symbols. In one embodiment, spreading coder 314 can apply a 4-point orthogonal spreading code for ACK symbols in the second slot, wherein the 4-point orthogonal spreading code can be of type Hadamard or DFT, and can further apply a 3-point DFT spreading code to RS symbols in the second slot.」
（［当審仮訳］：
[0059]　さらに，無線通信装置３０２は，
サブフレームのスロットに適用される時間領域直交拡散符号のタイプおよび長さをＳＲＳの存在の関数として決定し得る拡散符号器３１４を含み得る。
[0060]　図４Ｂに戻って参照すると，
ＡＣＫチャネルの第１のスロットは，３つのＡＣＫシンボル，３つのＲＳシンボル，および前に存在したＡＣＫシンボルの１つと入れ替わったＳＲＳを含む。第２のスロットは，ＳＲＳを有さず，４つのＡＣＫシンボルおよび３つのＲＳシンボルを有する。一実施形態において，拡散符号器３１４は，ＡＣＫシンボルおよびＲＳシンボルの両方について，ＳＲＳを含むスロットにおける３ポイント離散フーリエ変換（ＤＦＴ：discrete Fourier transform）拡散符号（例えば，第１の０．５ｍｓスロット）を適用し得る。
　本件の原出願日前に公開された国際公開第２０１０／０１８９４２号（以下，「周知例８」という。）には，図面とともに以下の事項が記載されている。（当審注：以下の［当審仮訳］は，周知例８のパテントファミリーである特表２０１１−５３０９４０号公報の記載に基づくものである。）
（セ）「[81] Referring to FIG. 7, each of the 1st slot and the 2nd slot includes 7 SC-FDMA symbols. Among the 7 SC-FDMA symbols of each slot, a reference signal (RS) is carried on 3 SC-FDMA symbols, and control information is carried on the remaining 4 SC-FDMA symbols. The RS is carried on 3 contiguous SC-FDMA symbols positioned in a middle portion of each slot. In this case, the position and the number of symbols used for the RS may vary, and thus the position and the number of symbols used for the control information may also vary.
[82] Each of the PUCCH formats 1, 1a, and 1b uses one complex- valued symbol d(0). A BS can detect an SR according to presence/absence of PUCCH transmission from a UE. Therefore, a specific value (e.g., d(0)=1) can be used as the complex-valued symbol d(0) for the PUCCH format 1. The complex-valued symbol d(0) for the PUCCH format Ia is generated if 1-bit HARQ ACK/NACK information is binary phase shift keying (BPSK) modulated. The complex-valued symbol d(0) for the PUCCH format 1b is generated if 2-bit HARQ ACK/NACK information is quadrature phase shift keying (QPSK) modulated.[83] A modulated sequence y(n) is generated based on the complex- valued symbol d(0) for the PUCCH format 1/1a/1b and the cyclically shifted sequence r(n,Ics). The modulated sequence y(n) can be generated by multiplying the complex-valued symbol d(0) by the cyclically shifted sequence r(n,Ics) according to the following equation.
[84] MathFigure 3
[Math.3] （省略）
[85] A CS index Ics of the cyclically shifted sequence r(n,Ics) may differ according to a slot number ns in a radio frame and an SC-FDMA symbol index l in a slot. Therefore, the CS index Ics can be expressed by Ics(ns, l). Herein, a slot number of the 1st slot is set to 0, a slot number of the 2nd slot is set to 1, and the CS index is set to Ics(0,0)=0, Ics(0,1)=1, Ics(0,5)=2, Ics(0,6)=3, Ics(1,0)=4, Ics(1,1)=5, Ics(1,5)=6, and Ics(1,6)=7. However, this is for exemplary purposes only.
[86] To increase UE capacity, the modulated sequence y(n) can be spread by using an orthogonal sequence (OS). Herein, the modulated sequence y(n) is spread by using an OS w(k) having a spreading factor of K=4 with respect to 4 SC-FDMA symbols for carrying control information within one slot.[87] An OS WIos(k) having a spreading factor of K=4 (where Ios is an OS index, 0≦k≦K-1) can use a sequence shown in the following table.
[88] Table 3
[Table 3]
（省略）
[89] Alternatively, the OS WIos(k) having a spreading factor of K=3 (where Ios is an OS index, 0≦k≦K-1) can use a sequence shown in the following table.
[90] Table 4
[Table 4]
（省略）
[91] The OS index Ios may differ according to the slot number ns in the radio frame. Therefore, the OS index Ios can be expressed by Ios(ns).
[92] The modulated sequence y(n) may be scrambled in addition to being spread using the OS. For example, the modulated sequence y(n) may be multiplied by 1 or j according to a specific parameter.
[93] The RS can be generated based on the OS and the cyclically shifted sequence generated from the same base sequence as the control information. The cyclically shifted sequence can be used as the RS by spreading the cyclically shifted sequence with the OS w(k) having a spreading factor of K=3. Therefore, in order for the UE to transmit the control information, in addition to the OS index and the CS index for the control information, the OS index and the cyclically shifted index for the RS are also required.」
（［当審仮訳］：
[81]　
図７を参照すると，第１のスロットと第２のスロットの各々は，７ＳＣ−ＦＤＭＡシンボルを含む。各スロットの７ＳＣ−ＦＤＭＡシンボルのうち３ＳＣ−ＦＤＭＡシンボルには参照信号（ｒｅｆｅｒｅｎｃｅ　ｓｉｇｎａｌ；以下，ＲＳという）が載せられ，残りの４ＳＣ−ＦＤＭＡシンボルには制御信号が載せられる。
[82]　ＰＵＣＣＨフォーマット１，１ａ及び１ｂの各々は，一つの複素シンボル（ｃｏｍｐｌｅｘ−ｖａｌｕｅｄ　ｓｙｍｂｏｌ）ｄ（０）を使用する。基地局は，ＳＲを端末からのＰＵＣＣＨ送信の存在または不存在だけで分かる。従って，ＰＵＣＣＨフォーマット１のための複素シンボルｄ（０）として特定値，例えば，ｄ（０）＝１を使用することができる。ＰＵＣＣＨフォーマット１ａのための複素シンボルｄ（０）は，１ビットのＨＡＲＱ　ＡＣＫ／ＮＡＣＫ情報がＢＰＳＫ（Ｂｉｎａｒｙ　Ｐｈａｓｅ　Ｓｈｉｆｔ　Ｋｅｙｉｎｇ）変調されて生成される。ＰＵＣＣＨフォーマット１ｂのための複素シンボルｄ（０）は，２ビットのＨＡＲＱ　ＡＣＫ／ＮＡＣＫ情報がＱＰＳＫ（Ｑｕａｄｒａｔｕｒｅ　Ｐｈａｓｅ　Ｓｈｉｆｔ　Ｋｅｙｉｎｇ）変調されて生成される。
[83]　ＰＵＣＣＨフォーマット１／１ａ／１ｂのための複素シンボルｄ（０）と循環シフトされたシーケンスｒ（ｎ，Ｉｃｓ）に基づいて変調されたシーケンス（ｍｏｄｕｌａｔｅｄ　ｓｅｑｕｅｎｃｅ）ｙ（ｎ）を生成する。次の数式のように循環シフトされたシーケンスｒ（ｎ，Ｉｃｓ）に複素シンボルｄ（０）をかけて変調されたシーケンスｙ（ｎ）を生成することができる。
[84]
［数３］（省略）
[85]　循環シフトされたシーケンスｒ（ｎ，Ｉｃｓ）の循環シフトインデックスであるＩｃｓは，無線フレーム内のスロット番号（ｎｓ）及びスロット内のＳＣ−ＦＤＭＡシンボルインデックス（l）によって変わることができる。従って，循環シフトインデックスＩｃｓは，Ｉｃｓ（ｎｓ，l）で表現されることができる。ここでは，第１のスロットのスロット番号は０に設定し，第２のスロットのスロット番号は１に設定し，Ｉｃｓ（０，０）＝０，Ｉｃｓ（０，１）＝１，Ｉｃｓ（０，５）＝２，Ｉｃｓ（０，６）＝３，Ｉｃｓ（１，０）＝４，Ｉｃｓ（１，１）＝５，Ｉｃｓ（１，５）＝６，及びＩｃｓ（１，６）＝７に設定しているが，これは例示にすぎない。
[86]　端末容量を増加させるために，変調されたシーケンスｙ（ｎ）は，直交シーケンスを用いて拡散されることができる。
ここでは，一つのスロット内の制御信号が載せられる４ＳＣ−ＦＤＭＡシンボルに対し，拡散係数（ｓｐｒｅａｄｉｎｇ　ｆａｃｔｏｒ）Ｋ＝４である直交シーケンスｗ（ｋ）を介して変調されたシーケンスｙ（ｎ）を拡散させることを開示している。
[87]　拡散係数Ｋ＝４である直交シーケンスｗＩｏｓ（ｋ）（Ｉｏｓは直交シーケンスインデックス，０≦ｋ≦Ｋ−１）として次の表のようなシーケンスを使用することができる。
[88]
［表３］
（省略）
[89]　または，拡散係数Ｋ＝３である直交シーケンスｗＩｏｓ（ｋ）（Ｉｏｓは直交シーケンスインデックス，０≦ｋ≦Ｋ−１）として次の表のようなシーケンスを使用することができる。
[90]
［表４］
（省略）
[91]　直交シーケンスインデックスＩｏｓは無線フレーム内のスロット番号（ｎｓ）によって変わることができる。従って，直交シーケンスインデックスＩｏｓは，Ｉｏｓ（ｎｓ）で表現されることができる。
[92]　また，変調されたシーケンスｙ（ｎ）は，直交シーケンスを用いた拡散の以外にもスクランブルされることができる。例えば，変調されたシーケンスｙ（ｎ）に特定パラメータによって１またはｊが掛けられる。
[93]　ＲＳは，制御信号と同一な基本シーケンスから生成された循環シフトされたシーケンスと直交シーケンスに基づいて生成することができる。循環シフトされたシーケンスを拡散係数Ｋ＝３である直交シーケンスｗ（ｋ）を介して拡散させてＲＳとして使用することができる。従って，端末が制御信号を送信するために，制御信号のための循環シフトインデックスと直交シーケンスインデックスの以外にも，ＲＳのための循環シフトインデックスと直交シーケンスインデックスも必要である。）
（ソ）「[108] If SRS transmission and PUCCH transmission carrying ACK/NACK happen to coincide in a same subframe, the UE may not transmit the SRS. Alternatively, the UE may support simultaneous transmission of the ACK/NACK on a PUCCH and the SRS by using a shortened ACK/NACK format of the ACK/NACK.
[109] FIG. 10 shows an example of transmission for a shortened ACK/NACK format if a normal CP is used. FIG. 11 shows an example of transmission for a shortened ACK/ NACK format if an extended CP is used.
[110] Referring to FIGs. 10 and 11 , 2-bit ACK/NACK information is QPSK modulated to generate one modulated symbol d(0). Alternatively, 1-bit ACK/NACK information may be QPSK modulated to generate one modulated symbol d(0). A last SC-FDMA symbol of a 2nd slot in a subframe is punctured. An SRS may be transmitted in a duration corresponding to the punctured symbol. That is, the punctured symbol corresponds to a location at which the SRS is transmitted. A 1st slot is the same as in FIG. 7 or 8. In the 2nd slot, control information is carried on three SC-FDMA symbols. An orthogonal sequence having a spreading factor of K=3 is used for the three SC-FDMA symbols. That is, the 1st slot is asymmetric to the 2nd slot. Hereinafter, the PUCCH format of FIGs. 7 and 8, which is differentiated from the shortened ACK/NACK format, is referred to as a normal PUCCH format.」
（［当審仮訳］：
[108]　
サウンディング参照信号が送信されるサブフレームとＡＣＫ／ＮＡＣＫ信号が送信されるサブフレームが重なる場合，端末はサウンディング参照信号を送信しない場合もあり，または，端末は，ＡＣＫ／ＮＡＣＫ信号を縮小された（ｓｈｏｒｔｅｎｅｄ）ＡＣＫ／ＮＡＣＫフォーマットを使用し，ＡＣＫ／ＮＡＣＫ信号とサウンディング参照信号の同時送信をサポートすることができる。
[109]　図１０は，ノーマルＣＰの場合，縮小されたＡＣＫ／ＮＡＣＫフォーマット送信の例を示し，図１１は，拡張されたＣＰの場合，縮小されたＡＣＫ／ＮＡＣＫフォーマット送信の例を示す。
[110]　図１０及び図１１を参照すると，２ビットのＡＣＫ／ＮＡＣＫ情報がＱＰＳＫ変調されて一つの変調シンボルｄ（０）が生成される。または，１ビットのＡＣＫ／ＮＡＣＫ情報がＱＰＳＫ変調されて一つの変調シンボルｄ（０）が生成されることもできる。
サブフレーム内の第２のスロットの最後のＳＣ−ＦＤＭＡシンボルが穿孔（ｐｕｎｃｔｕｒｉｎｇ）される。穿孔されたシンボルに該当する区間でサウンディング参照信号が送信されることができる。即ち，穿孔されたシンボルは，サウンディング参照信号が送信される位置（ｌｏｃａｔｉｏｎ）に対応される。第１のスロットは，図７または図８と同様である。第２のスロットでは制御信号が３ＳＣ−ＦＤＭＡシンボルに載せられる。前記３ＳＣ−ＦＤＭＡシンボルに対しては拡散係数Ｋ＝３である直交シーケンスが用いられる。
　（ケ）〜（ソ）の記載及び図面はいずれも，ＡＣＫないしＮＡＣＫを伝送するＰＵＣＣＨサブフレーム構造として，ＳＲＳを含まないスロットではＡＣＫないしＮＡＣＫの伝送に割り当てられるシンボル数を４とするとともに拡散係数すなわち系列長が４である時間領域直交拡散符号すなわち直交シーケンスを利用するフォーマットを適用し，ＳＲＳを含むスロットではＡＣＫないしＮＡＣＫの伝送に割り当てられるシンボル数を１つ減らして３とし，その１つをＳＲＳに割当てるとともに拡散係数すなわち系列長が３である時間領域直交拡散符号すなわち直交シーケンスを利用するフォーマットを適用することを開示している。
　したがって，（ケ）〜（ソ）の記載及び図面並びに当業者の技術常識を考慮すると，「ＡＣＫ／ＮＡＣＫ情報が，ＳＲＳを送信するためのシンボルが時間多重されているサブフレームで送信される場合に，サブフレーム内のＡＣＫ／ＮＡＣＫ情報用のシンボルの１つを削除すると共に系列長を１減らした時間領域直交拡散符号を利用するフォーマットを適用し，前記複数ビットのＡＣＫ／ＮＡＣＫ情報が，前記ＳＲＳを送信するためのシンボルを含まないサブフレームで送信される場合には，前記シンボル数及び時間領域直交拡散符号の系列長が削除されないフォーマットを適用する」ことは周知であると認める（以下，「周知技術３」という。）。
ウ　対比・判断
　補正後の発明と引用発明とを対比すると，
（ア）補正後の発明の「基本周波数ブロック」に関し，本願明細書の【０００７】によれば，当該用語は，コンポーネントキャリア（ＣＣ）の意味で使用されている。また，補正後の発明は，「基本周波数ブロック」（すなわち「ＣＣ」）が，下り（ＤＬ）のものであるとの限定はないけれども，引用発明の「ＤＬ　ＣＣ」を含んでいることは明らかである。
　さらに，引用発明の「ＵＥ」が「移動端末装置」と同義であることは明らかである。
　したがって，引用発明の「複数のＤＬ　ＣＣが割当てられたＵＥと無線基地局装置との無線通信方法」は，補正後の発明の「複数の基本周波数ブロックが割当てられた移動端末装置と無線基地局装置との無線通信方法」に含まれる。
（イ）引用発明の「ＡＣＫ／ＮＡＣＫ」は，「ＡＣＫ／ＮＡＣＫ情報」と同義であることは明らかである。
　したがって，引用発明の「下り共有データチャネル信号に対するＡＣＫ／ＮＡＣＫを複数のＤＬ　ＣＣ間でジョイント符号化して複数ビットのＡＣＫ／ＮＡＣＫを生成する工程」は，補正後の発明の「下り共有データチャネル信号に対するＡＣＫ／ＮＡＣＫ情報を複数の基本周波数ブロック間でジョイント符号化して複数ビットのＡＣＫ／ＮＡＣＫ情報を生成する工程」に含まれる。
（ウ）補正後の発明の「チャネル符号化後の信号」は，複数ビットのＡＣＫ／ＮＡＣＫ情報をチャネル符号化することにより生成されるものであるから，補正後の発明の「チャネル符号化後の信号」と，引用発明の「複数ビットのＡＣＫ／ＮＡＣＫビット」とは，チャネル符号化後のものであるか否かは別として，「複数ビットのＡＣＫ／ＮＡＣＫ情報」で共通する。
　したがって，補正後の発明の「チャネル符号化後の信号に対して，ＤＦＴ（Discrete　Fourier　Transform）と，移動端末装置毎に割当てられたブロック拡散符号を用いたブロック拡散と，を行う工程」と，引用発明の「複数ビットのＡＣＫ／ＮＡＣＫビットに対して，ブロック拡散符号を用いたブロック拡散を行う工程」とは，「複数ビットのＡＣＫ／ＮＡＣＫビット」がチャネル符号化後のものであるか否かは別として，「複数ビットのＡＣＫ／ＮＡＣＫビットに対して，ブロック拡散符号を用いたブロック拡散を行う工程」の点で共通する。
　以上を総合すると，補正後の発明と引用発明とは，以下の点で一致し，また，相違している。
（一致点）
「　複数の基本周波数ブロックが割当てられた移動端末装置と無線基地局装置との無線通信方法であって，
　下り共有データチャネル信号に対するＡＣＫ／ＮＡＣＫ情報を複数の基本周波数ブロック間でジョイント符号化して複数ビットのＡＣＫ／ＮＡＣＫ情報を生成する工程と，
　複数ビットのＡＣＫ／ＮＡＣＫビットに対して，ブロック拡散符号を用いたブロック拡散を行う工程，を具備する無線通信方法。」
（相違点１）
　補正後の発明は，更に「前記複数ビットのＡＣＫ／ＮＡＣＫ情報をチャネル符号化する工程」を具備しており，それにともない，一致点の「複数ビットのＡＣＫ／ＮＡＣＫビットに対して，ブロック拡散符号を用いたブロック拡散を行う工程」において，「チャネル符号化後の信号」に対して，「ＤＦＴ（Discrete　Fourier　Transform）」と，「移動端末装置毎に割当てられた」ブロック拡散符号を用いたブロック拡散を行うのに対し，引用発明では，「前記複数ビットのＡＣＫ／ＮＡＣＫ情報をチャネル符号化する」こと，並びに「チャネル符号化後の信号」に対して，「ＤＦＴ（Discrete　Fourier　Transform）」を行うこと，及びブロック拡散符号が「移動端末装置毎に割当てられた」ものであることがいずれも明らかではない点。
（相違点２）
　補正後の発明は，「前記複数ビットのＡＣＫ／ＮＡＣＫ情報が，チャネル品質測定用のＳＲＳ（Sounding　Reference　Signal）を送信するためのシンボルが時間多重されているサブフレームで送信される場合に，サブフレーム内のＡＣＫ／ＮＡＣＫ情報用のシンボルの１つを削除すると共に系列長を１減らしたブロック拡散符号を利用する短縮型フォーマットを適用し，前記複数ビットのＡＣＫ／ＮＡＣＫ情報が，前記ＳＲＳを送信するためのシンボルを含まないサブフレームで送信される場合には，前記シンボル数及びブロック拡散符号の系列長が削除されない通常フォーマットを適用する」構成を有するのに対し，引用発明では，当該構成が明らかではない点。
　以下，上記各相違点について検討する。
（相違点１について）
　上記「イ　引用発明及び周知技術等」の項で認定したとおり，「ＡＣＫ／ＮＡＣＫ情報をチャネル符号化し，チャネル符号化後の信号に対して，ＤＦＴを行う」こと（周知技術１），及び「ＡＣＫ／ＮＡＣＫ情報に対し，移動端末装置毎に割当てられたブロック拡散符号を用いたブロック拡散を行う」こと（周知技術２）は，いずれも周知の事項であるから，上記一致点の「前記複数ビットのＡＣＫ／ＮＡＣＫ情報」をチャネル符号化し，チャネル符号化後の信号に対して，ブロック拡散に加えてＤＦＴを行うこと，及び上記一致点のブロック拡散符号を「移動端末装置毎に割当てられた」ものとすること，すなわち，引用発明において，「前記複数ビットのＡＣＫ／ＮＡＣＫ情報をチャネル符号化する工程と，チャネル符号化後の信号に対して，ＤＦＴ（Discrete　Fourier　Transform）と，移動端末装置毎に割当てられたブロック拡散符号を用いたブロック拡散と，を行う工程」とを具備するよう構成することは，当業者が適宜なし得たことである。
（相違点２について）
　補正後の発明におけるブロック拡散は，本願明細書の【００３０】によれば，直交する拡散符号（直交符号）を時間方向に適用する直交多重法であるから，補正後の発明のブロック拡散符号は，周知技術３の時間領域直交拡散符号を含んでいる。そして，引用発明は，Ｒｅｌ．１０すなわちＬＴＥ−Ａｄｖａｎｃｅｄに関するものであって，上りリンクにてＳＲＳを送信することが当然に予想されるところ，上記「イ　引用発明及び周知技術等」の項で認定したとおり，「ＡＣＫ／ＮＡＣＫ情報が，ＳＲＳを送信するためのシンボルが時間多重されているサブフレームで送信される場合に，サブフレーム内のＡＣＫ／ＮＡＣＫ情報用のシンボルの１つを削除すると共に系列長を１減らした時間領域直交拡散符号を利用するフォーマットを適用し，前記複数ビットのＡＣＫ／ＮＡＣＫ情報が，前記ＳＲＳを送信するためのシンボルを含まないサブフレームで送信される場合には，前記シンボル数及び時間領域直交拡散符号の系列長が削除されないフォーマットを適用する」こと（周知技術３）は，周知の事項である。
　また，ＳＲＳが，チャネル品質測定用の参照信号であることは，当業者における技術常識であり，周知技術３の「サブフレーム内のＡＣＫ／ＮＡＣＫ情報用のシンボルの１つを削除すると共に系列長を１減らした時間領域直交拡散符号を利用するフォーマット」及び「前記シンボル数及び時間領域直交拡散符号の系列長が削除されないフォーマット」を，それぞれ「短縮型フォーマット」及び「通常フォーマット」と称することは任意である。
　そうすると，相違点２は，格別困難なことではなく，当業者が適宜なし得たことである。
　そして，補正後の発明の作用効果も，引用発明及び周知技術等に基づいて当業者が予測できる範囲のものである。
　以上のとおり，補正後の発明は，引用発明及び周知技術等に基づいて当業者が容易に発明をすることができたものであるから，特許法第２９条第２項の規定により特許出願の際独立して特許を受けることができないものである。
３　結語
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
第３　本願発明について
１　本願発明
　平成２７年４月１３日付けの手続補正は上記のとおり却下されたので，本願発明は，上記「第２　補正却下の決定」の項中の「１　本願発明と補正後の発明」の項の「本願発明」のとおりのものと認める。
２　引用発明及び周知技術等
　引用発明及び周知技術等は，上記「第２　補正却下の決定」の項中の「２　補正の適否」の項中の「（２）独立特許要件」の項中の「イ　引用発明及び周知技術等」の項で認定したとおりである。
３　対比・判断
　そこで，本願発明と引用発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明及び周知技術等に基づいて容易に発明できたものであるから，本願発明も同様の理由により，容易に発明できたものである。
４　むすび
　以上のとおり，本願発明は，引用発明及び周知技術等に基づいて当業者が容易に発明をすることができたものであるから，特許法第２９条第２項の規定により，特許を受けることができない。
　よって，結論のとおり審決する。